【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
画像供給装置から画像データを入力する入力部と、
指示体の位置を検出し、該検出した位置に関する情報を含む指示体情報を生成する検出部と、
前記指示体情報の処理に関するモードを第１モードまたは第２モードに設定する設定部と、
前記入力された画像データに基づいて生成される第１画像に、前記指示体情報に基づいて生成される第２画像を重ねて描画する描画部と、
前記第１モードが設定されている場合には前記指示体情報を前記描画部に出力する一方、前記第２モードが設定されている場合には前記指示体情報を前記画像供給装置に出力する選択部と、
前記第１モードから前記第２モードへの切替えが行われると前記第２画像を消去する描画制御部と
を有する表示装置。
【請求項２】
前記描画制御部は、前記切替えが行われた後、前記第１画像が更新されたことを検出すると前記第２画像の消去を実行する
ことを特徴とする請求項１に記載の表示装置。
【請求項３】
前記描画制御部は、前記切替えが行われた後、所定期間が経過した場合に、前記第２画像の消去を実行する
ことを特徴とする請求項１に記載の表示装置。
【請求項４】
前記描画制御部は、前記切替えが行われた後、第１画像が更新されることなく前記所定期間が経過した場合に、前記第２画像の消去を実行する
ことを特徴とする請求項３に記載の表示装置。
【請求項５】
前記第２画像を記憶する記憶部を更に備え、
前記描画制御部は、前記第２画像の消去を実行する前に、前記第２画像を前記記憶部に記憶する
ことを特徴とする請求項１ないし４のいずれか一つに記載の表示装置。
【請求項６】
画像供給装置から画像データを入力するステップと、
指示体の位置を検出し、該検出した位置に関する情報を含む指示体情報を生成するステップと、
前記指示体情報の処理に関するモードを第１モードまたは第２モードに設定するステップと、描画部に、前記入力された画像データに基づいて生成される第１画像に前記指示体情報に基づいて生成される第２画像を重ねて描画させるステップと、
前記第１モードが設定されている場合には、前記指示体情報を、前記描画部に出力する一方、前記第２モードが設定されている場合には前記指示体情報を前記画像供給装置に出力するステップと、
前記第１モードから前記第２モードへの切替えが行われると前記第２画像を消去するステップと
を有する表示制御方法。
【請求項７】
画像供給部と、
前記画像供給部から画像データを入力する入力部と、
指示体の位置を検出し、該検出した位置に関する情報を含む指示体情報を生成する検出部と、
前記指示体情報の処理に関するモードを第１モードまたは第２モードに設定する設定部と、
前記入力された画像データに基づいて生成される第１画像に、前記指示体情報に基づいて生成される第２画像を重ねて描画する描画部と、
前記第１モードが設定されている場合には前記指示体情報を前記描画部に出力する一方、前記第２モードが設定されている場合には前記指示体情報を前記画像供給部に出力する選択部と、
前記第１モードから前記第２モードへの切替えが行われると前記第２画像を消去する描画制御部と
を有する表示システム。
【手続補正２】
【補正対象書類名】明細書
【補正対象項目名】００１０
【補正方法】変更
【補正の内容】
【００１０】
本発明は、また、画像供給装置から画像データを入力するステップと、指示体の位置を検出し、該検出した位置に関する情報を含む指示体情報を生成するステップと、前記指示体情報の処理に関するモードを第１モードまたは第２モードに設定するステップと、描画部に、前記入力された画像データに基づいて生成される第１画像に前記指示体情報に基づいて生成される第２画像を重ねて描画させるステップと、前記第１モードが設定されている場合には、前記指示体情報を、前記描画部に出力する一方、前記第２モードが設定されている場合には前記指示体情報を前記画像供給装置に出力するステップと、前記第１モードから前記第２モードへの切替えが行われると前記第２画像を消去するステップとを有する表示制御方法を提供する。
この表示制御方法によれば、合成表示されている画像を消去する操作が支援される。
【手続補正３】
【補正対象書類名】明細書
【補正対象項目名】００１１
【補正方法】変更
【補正の内容】
【００１１】
本発明は、また、画像供給部と、前記画像供給部から画像データを入力する入力部と、前記指示体の位置を検出し、該検出した位置に関する情報を含む指示体情報を生成する検出部と、前記指示体情報の処理に関するモードを第１モードまたは第２モードに設定する設定部と、前記入力された画像データに基づいて生成される第１画像に、前記指示体情報に基づいて生成される第２画像を重ねて描画する描画部と、前記第１モードが設定されている場合には前記指示体情報を前記描画部に出力する一方、前記第２モードが設定されている場合には前記指示体情報を前記画像供給部に出力する選択部と、前記第１モードから前記第２モードへの切替えが行われると前記第２画像を消去する描画制御部とを有する表示システムを提供する。
この表示システムによれば、合成表示されている画像を消去する操作が支援される。
【手続補正４】
【補正対象書類名】明細書
【補正対象項目名】００１３
【補正方法】変更
【補正の内容】
【００１３】
図１は表示システム１００の概要を示す。表示システム１００は、ＰＣ２００、プロジェクター３００、指示体４００、表示面５００を含む。ＰＣ２００は、文書作成アプリケーションや画像閲覧アプリケーションなどを実行可能な一般的なパーソナルコンピューターである。ＰＣ２００は、表示面５００で表示すべき画像（例えばＰＣ２００で実行中のアプリケーションの画面）のデータをＰＣ２００に接続されたプロジェクター３００に供給する。
プロジェクター３００は一般的なプロジェクターとしての機能を有し、ＰＣ２００から供給された画像データに基づく映像を表示面５００に投写する。表示面５００は、専用のスクリーンまたは壁面である。
【手続補正５】
【補正対象書類名】明細書
【補正対象項目名】００１６
【補正方法】変更
【補正の内容】
【００１６】
画像処理部２４０は、制御部２３０から供給される命令に基づいて、更新後の画面データに対応する画像情報Ｄｉを生成する。生成された画像情報Ｄｉは、表示部２６０および送信部２１１に供給される。
表示部２６０は、液晶ディスプレイ等の表示装置である。
入力部２２０はキーボードやマウスなどの入力装置であって、ユーザーの指示や命令を制御部２３０に入力する。
記憶部２５０は、ハードディスクや半導体メモリー等の記憶装置であって、制御部２３０で実行されるＯＳやアプリケーションプログラムを格納する。
【手続補正６】
【補正対象書類名】明細書
【補正対象項目名】００２３
【補正方法】変更
【補正の内容】
【００２３】
描画制御部３４２は、制御信号Ｓｄを描画部３４１に出力する。制御信号Ｓｄには、第２画像ＩＭ２の消去の実行に関する命令または第１画像ＩＭ１および第２画像ＩＭ２の記憶に関する命令が含まれる。具体的には、描画制御部３４２は、モード設定部３６０から供給されるモード情報Ｓｍを監視し、マウスモードと描画モードとの間で切替えがあった場合に、第２画像ＩＭ２の消去命令を制御信号Ｓｄに内包させる。加えて、描画制御部３４２は、計時部３７０から供給された時間情報Ｉｔに基づいて、第２画像ＩＭ２の消去命令を内包させてもよい。なお、第１画像ＩＭ１および第２画像ＩＭ２の記憶は、個別に行われる。すなわち、合成後の画面を表す一つのデータを記憶しておくのではなく、第１画像ＩＭ１および第２画像ＩＭ２のそれぞれが独立して事後的に利用できる形で記憶部３８０に保存される。
【手続補正７】
【補正対象書類名】明細書
【補正対象項目名】００２４
【補正方法】変更
【補正の内容】
【００２４】
投写部３５０は、光源（レーザーなど）、レンズ、ミラー、プリズム等の投写機構、各色に対応する液晶パネルなどの光学素子を含み、光源からの光を映像信号に基づいて変調する変調機構、変調された光を投写機構へ導く光学系によって実現される。
【手続補正８】
【補正対象書類名】明細書
【補正対象項目名】００２７
【補正方法】変更
【補正の内容】
【００２７】
図５は、画面ＳＣの例を示す。画面ＳＣはＰＣ２００で所定のアプリケーションを起動させた場合に表示される。画面ＳＣには、第１画像ＩＭ１、第２画像ＩＭ２、操作パネルＩＭ３が含まれる。この例では、第１画像ＩＭ１は表計算ソフトの実行画面であって、ここにユーザーが所望する箇所をマークするための描いた画像オブジェクト（円）が合成表示されている。
【手続補正９】
【補正対象書類名】明細書
【補正対象項目名】００２８
【補正方法】変更
【補正の内容】
【００２８】
操作パネルＩＭ３は、指示体４００の入力機能を指定するためのものであり、第１画像ＩＭ１や第２画像ＩＭ２の内容とは無関係に、描画部３４１によって、画面ＳＣ上に常に表示される画像オブジェクトである。具体的には、操作パネルＩＭ３内の各位置は各機能と対応づけられており、ユーザーは指示体４００を用いて操作パネルＩＭ３内の位置を指定することで、所望の入力機能を指定する。より具体的には、操作パネルＩＭ３は、描画内容の属性ないし詳細（ペンの色や線種等）を指定する機能を有する。加えて、操作パネルＩＭ３には、所定位置をタッチすることによって、マウスモード（2）と描画モード（1）とを切替える機能を有する。また、操作パネルＩＭ３は、一度描画された第２画像ＩＭ２を消去・修正する機能（消しゴム機能）も備える。
【手続補正１０】
【補正対象書類名】明細書
【補正対象項目名】００３３
【補正方法】変更
【補正の内容】
【００３３】
＜変形例＞
図６は、プロジェクター３００の動作の他の例を示す。描画モードからマウスモードへ変更されたことを検知すると（Ｓ２０２、ＹＥＳ）、表示中の画面を保存、すなわち第１画像ＩＭ１と第２画像ＩＭ２とが合成された画面をキャプチャーする（Ｓ２０４）。
その後、マウスモードから描画モードへ変更があったことを検知すると（Ｓ２０６、ＹＥＳ）、その時点で表示されている画像とＳ２０４で保存した画像とを比較する（Ｓ２０８）。すなわち、マウスモードになった状態で第１画像ＩＭ１の内容に変化があったか否かを判定する。
【手続補正１１】
【補正対象書類名】明細書
【補正対象項目名】００３５
【補正方法】変更
【補正の内容】
【００３５】
図７は図６の動作例に対応する画面ＳＣの例を示す。描画モードにて第２画像ＩＭ２が描画され、第１画像ＩＭ１（old）に第２画像ＩＭ２が合成表示された状態になり（上図）、この状態でマウスモードに切替わったタイミングで、第１画像ＩＭ１（old）と第２画像ＩＭ２の合成画面が保存される。その後、描画モードへ切り替わったタイミングで画面の比較が行われる。この時、操作によって第１画像ＩＭ１（old）が第１画像ＩＭ１（new）に変更されていたとする。このとき、合成画像｛第１画像ＩＭ１（old）＋第２画像ＩＭ２｝と合成画像｛第１画像ＩＭ１（new）＋第２画像ＩＭ２｝とが比較されることになる。ここで、操作モードの間は第２画像ＩＭ２の内容が変化することはないので、第１画像ＩＭ１の画面の変化を判定していることと等価である。第１画像ＩＭ１が変更されていると判定すると、図７の下図のような、第２画像ＩＭ２が自動消去された、画面が表示される。
【手続補正１２】
【補正対象書類名】明細書
【補正対象項目名】００３７
【補正方法】変更
【補正の内容】
【００３７】
図８は、第１画像ＩＭ１および第２画像ＩＭ２の保存を概念的に示す。同図に示すように、第１画像ＩＭ１と第２画像ＩＭ２とは別の画像ファイルとして保存される。合成画像を事後的に編集する（アノテーション自体の形状や位置を変更するなど）ことが容易である。
【手続補正１３】
【補正対象書類名】明細書
【補正対象項目名】００３８
【補正方法】変更
【補正の内容】
【００３８】
図９はプロジェクター３００の動作例（その３）を示す。描画モードからマウスモードへの変更を検知する（Ｓ３０２、ＹＥＳ）、表示中の画面を保存する（Ｓ３０４）。加えて、マウスモードに変更されてからの経過時間の計測を開始する（Ｓ３０６）。経過時間が所定値に達していない場合は（Ｓ３０６、ＮＯ）、図６の動作と同様、マウスモードから描画モードに変更されたことを監視し（Ｓ３０８）、当該変更を検知すると（Ｓ３０８、ＹＥＳ）、図６のＳ２０８と同様、第１画像ＩＭ１に変更があったか否かをチェックする（Ｓ３１０）。ここで、モードの切替えが検知されてなくても所定期間が経過した場合（Ｓ３０６、ＹＥＳ）は、第１画像ＩＭ１の変更をチェックする（Ｓ３１０）。
【手続補正１４】
【補正対象書類名】明細書
【補正対象項目名】００３９
【補正方法】変更
【補正の内容】
【００３９】
Ｓ３１０のチェックの結果、第１画像ＩＭ１が変更されたことを確認した場合（Ｓ３１２、ＹＥＳ）、第２画像ＩＭ２を削除する（Ｓ３１８）。続いて、チェック用に保存してあった画像を削除し（Ｓ３２２）、タイマーをリセットした後（Ｓ３２４）、再びマウスモードへの切替えを監視する（３０２）。
第１画像ＩＭ１が変更されておらず、且つ描画モードのままである場合（Ｓ３１４、ＮＯ）、第２画像ＩＭ２の消去を行うことなく、チェック用に保存したあった画像を削除し（Ｓ３２２）、タイマーをリセットした後（Ｓ３２４）マウスモードへの切替えを監視する（Ｓ３０２）。第１画像ＩＭ１に更新がなかった場合で、その後描画モードからマウスモードへの切替えを検知すると（Ｓ３１４、ＹＥＳ）、タイマーをリセットし（Ｓ３２０）、経過時間の監視（Ｓ３０６）および描画モードへの切替えの監視（Ｓ３０８）を合わせて実行する処理に再び戻る。
【手続補正１５】
【補正対象書類名】明細書
【補正対象項目名】００４１
【補正方法】変更
【補正の内容】
【００４１】
なお、所定時間経過後に、マウスモードの終了判定やその後の第１画像ＩＭＩに対する比較ステップ（Ｓ３０８〜Ｓ３１４）を省略し、第２画像を消去してもよい。要するに、マウスモードへの切替えがあってから所定時間経過した場合は、無条件に第２画像を消去する。マウスモードに切替えてから所定時間が経過した場合は、何らかの操作が行われて第１画像の内容が変化している可能性が高いので、第２画像を削除する合理性があるからである。